(57)【特許請求の範囲】
【請求項１】
２列式のラジアル軸受けであって、内レース（２）と、外レース（１）と、所属の転動体（３）とが設けられており、一体に形成された内レース（２）が、１つの中央つば（４）と、２つの外側つば（５）とを備えており、外レース（１）が、当該２列式のラジアル軸受け内に挿入された、別個に製造された中央つばに結合されている形式のものにおいて、外レース（１）の中央つばが、異形材横断面で見てＴ字形に形成されかつスリット（１２）を備えた一体のリング（１１）によって形成されており、該リング（１１）が、直径可変であり、軸方向中央で外レース（１）に配置された環状の溝（１０）内に挿入されており、リング（１１）が、溝（１０）内に配置された全周にわたって延びる外側のウェブ（１３）と、軸方向で互いに反対の側に位置する２つの端部（１４）とから成っており、ウェブ（１３）が、リング（１１）の幅に対して中央または中央外寄りに配置されており、両端部（１４）が、外レース（１）の転動路に接触して配置されており、両端部（１４）の異形材横断面が、外側のウェブ（１３）から出発して軸方向外向きで半径方向に増加して形成されていることを特徴とする、２列式のラジアル軸受け。
【請求項２】
スリット（１２）が、軸受け軸線（１５）に対して平行に延びているかまたは軸受け軸線（１５）に対して特定の角度で延びている、請求項１記載の２列式のラジアル軸受け。
【請求項３】
内レース（２）の外側つば（５）にシールエレメント（７）が設けられている、請求項１記載の２列式のラジアル軸受け。
【請求項４】
リング（１１）に硬化工程が施されている、請求項１記載の２列式のラジアル軸受け。
【請求項５】
リング（１１）が、摩擦を減少させる材料、たとえばポリテトラフルオロエチレン（ＰＴＦＥ）によってコーティングされている、請求項１記載の２列式のラジアル軸受け。
【発明の詳細な説明】
【０００１】
背景技術
本発明は、２列式のラジアル軸受け、特にラジアル円筒ころ軸受けであって、内レースと、外レースと、所属の転動体とが設けられており、一体に形成された内レースに、１つの中央つばと、２つの外側つばとが設けられており、外レースが、軸受け内に挿入された、別個に製造された中央つばと結合されている形式のものに関する。
【０００２】
冒頭で述べた形式の軸受けは、フランス国特許第２２４６７６６号明細書に基づきすでに公知である。この公知の軸受けの外レースは、横断面で見て方形に形成された中央つばと結合されている。この場合、中央つばは、複数のリベットを用いて外レースに保持されている。このためには、中央つばと外レースとが、全周にわたって分配されて配置された、半径方向で整合した複数の孔を有していなければならない。中央つばの、このような形式の固定は手間がかかり、ひいては高価である。
【０００３】
発明の利点
したがって、本発明の課題は、冒頭で述べた形式のラジアル軸受けを改良して、ラジアル軸受けが極めて簡単に製造可能であるようにすることである。
【０００４】
この課題を解決するために本発明の構成では、外レースの中央つばが、Ｔ字形に形成されかつスリットを備えた、直径の可変な一体のリングによって形成されており、該リングが、環状の溝内に挿入されており、リングが、溝内に配置された、全周にわたって延びる外側のウェブと、軸方向で互いに反対の側に位置する２つの端部とから成っており、ウェブが、リングの幅に対して中央または中央外寄りに配置されており、両端部の、半径方向の延在長さが、軸方向外側に向かって増加していて、外レースの転動路に支持されているようにした。
【０００５】
もっとも、これに関連して確かにアメリカ合衆国特許出第２３３４２２７号明細書に基づき針状ころ軸受けが公知である。この針状ころ軸受けの外レースに設けられた溝内は、スリット付けされたリングが挿入されている。このスリット付けされたリングがＴ字形に形成されていないことは別として、このリングは、軸受け用針状ころの軸方向の支持とは何の関係もない。リングは、単に軸受け用針状ころのずれを阻止するために使用されているだけである。したがって、当業者が、前記アメリカ合衆国特許出第２３３４２２７号明細書から、２列式のラジアル円筒ころ軸受けの、改善された製造に関するヒントを知ることはあり得ない。
【０００６】
第１に、Ｔ字形に形成されたこのリングはその簡単な横断面に基づき、比較的簡単な形式で製造することができ、第２に、逆Ｔ字形の構成によって、両側の転動体を支持することが可能となる、すなわち、このリングは、両方向における軸方向力もしくはスラスト荷重を吸収することができる。リング自体の軸方向の位置固定は、全周にわたって延びる外側のウェブによって行われる。このウェブは、組付け時に、転動路に設けられた溝内にスナップ式に進入する。リングの組付けは、ねじり巻き、つまり、リング端部を互いに軸方向に移動させることによって行われてもよいし、押し縮めによって行われてもよい。この場合、一方のリング端部は、他方のリング端部の下側に押し込まれる。これによって、転動体の支持のための、欠点のない著しく狭幅の分割ギャップが得られる。互いに反対の側に位置する端部の、半径方向の延在長さの増加によって、転動体の端面のための支持面が可能な限り大きくなっていることが保証されている。しかし、拡幅された分割ギャップでも問題はない。なぜならば、この場合、転動体支持が、他方の軸受けレースの、所属のつばによって引き受けられるからである。
【０００７】
請求項２によれば、スリットが、軸受け軸線に対して平行に延びているかまたは軸受け軸線に対して特定の角度で延びている、つまり、真っ直ぐにスリット付けされている。しかし、他のあらゆるスリット配置形式も可能である。
【０００８】
請求項３記載の、本発明の別の特徴によれば、内レースの外側つばにシールエレメントが設けられていることが望ましい。
【０００９】
公知の形式では、このシールエレメントは、転動体を収容する空間が、ダスト侵入および潤滑剤損失に対してシールされ得るために働く。このシールは、有利には、たとえばシールエレメントが接触型のシール部材として形成されており、このシール部材の一方の端部が、内レースの外側つばに設けられた溝内で保持されており、シール部材の、反対の側に位置するシールリップが、プレロードをかけられて外レースに接触していることによって行われる。同様に、シールエレメントとして、一方の軸受けレースに固定されており、他方の軸受けレースと共にシールギャップを形成する薄板が使用されてもよい。
【００１０】
請求項４によれば、硬度増大のために、リングに熱処理が施されている。
【００１１】
最後に、請求項５によれば、リングが、摩擦を減少させる材料、たとえばポリテトラフルオロエチレン（ＰＴＦＥ）によってコーティングされていることが望ましい。ＰＴＦＥは特に適している。なぜならば、ＰＴＦＥは、全ての硬質プラスチックのうち最小の摩擦係数を有しているからである。
【００１２】
実施例の説明
以下に、本発明の実施例を図面につき詳しく説明する。
【００１３】
図１に半部断面図で示した２列式のラジアル円筒ころ軸受けは、軸受け外レース１と、所属の軸受け内レース２とから成っている。両レース１，２の間では、２つの円筒ころセット３が転動路（図示せず）に沿って転動する。軸受け内レース２には、１つの中央つば４と、２つの外側つば５とが設けられている。円筒ころセット３の端面は、中央つば４と外側つば５とに支持されて転動する。軸受け内レース２の外側つば５には、それぞれ１つの溝６が設けられており、この溝６内には、それぞれ１つのシールエレメント７が挿入されている。このシールエレメント７に設けられたシールリップは、軸受け外レース１の、向かい合って位置する転動面に接触している。さらに、軸受け内レース２は、環状の潤滑溝８を有しており、この潤滑溝８からは、特定の箇所で半径方向に潤滑孔９が分岐している。この潤滑孔９は、両円筒ころセット３の間の空間に開口している。
【００１４】
軸受け外レース１は滑らかな転動面を有していて、中央に環状の溝１０を備えている。この溝１０内には、止め輪として形成されたリング１１が挿入されている。図２に示したように、このリング１１はその全周の一箇所にスリット１２を備えているので、リング１１の全周の長さは可変である。リング１１はＴ字形に形成されている、すなわち、リング１１は、半径方向で全周にわたって延びる外側のウェブ１３を有している。このウェブ１３は、軸受け外レース１に設けられた溝１０内に案内されている。リング１１の、互いに反対の側に位置する両端部１４は、軸受け外レース１の転動路に支持されており、両端部１４の、半径方向の延在長さは、軸方向外側に向かって増加しているので、円筒ころセット３の端面のための接触面は拡大されている。
【００１５】
本発明によるこのような支承部の組付けは、軸受け外レース１が、円筒ころセット３と、スリット付けされたリング１１とを備えた、前組付けされた軸受け内レース２にわたって、リング１１が溝１０内にスナップ式に進入するまで軸方向で被せられるような形式で実施される。すなわち、軸受け外レース１の被嵌め時にまず、スリット付けされたリング１１の直径が減径されなければならず、これによって、リング１１が、溝１０内にスナップ式に進入した後に再び元に戻ることができるようになっている。
【図面の簡単な説明】
【図１】  本発明による円筒ころ軸受けの部分的な縦断面図である。
【図２】  スリット付けされた止め輪の側面図である。
【図３】  図２に示した止め輪を拡大して示す縦断面図である。
【符号の説明】
１  軸受け外レース
２  軸受け内レース
３  円筒ころセット
４  中央つば
５  外側つば
６  溝
７  シールエレメント
８  潤滑溝
９  潤滑孔
１０  溝
１１  リング
１２  スリット
１３  ウェブ
１４  端部
１５  軸受け軸線
【図１】
0004219093.tif 000002
【図２】
0004219093.tif 000003
【図３】
0004219093.tif 000004